Podtech/llm-jp-corpus-v4-ja_patent huggingface dataset:
(57)【要約】      （修正有）【課題】小さい力で超強力なハサミを得ること。【解決手段】レバーをｎ段設けることを特徴とする。【選択図】図２
2018134476.tif 000002
【特許請求の範囲】
【請求項１】
ハサミの取っ手が回転可動にされる第１の回転支点と、該第１の回転支点を介して前記取っ手の他端に回転力が伝達される回転力伝達機構と、前記他端にそれぞれ設けられた第２の回転支点と、該第２の回転支点と繋がり、第２の回転支点を介して回転力を伝える第nの回転支点と、該第nの回転支点からの回転力伝達機構によりはさむ刃を有し、これら機能をn段設けて構成されることを特徴とする強力ハサミ。
【発明の詳細な説明】
【技術分野】
【０００１】
本発明は公知ハサミより強力なハサミに関する。
【背景技術】
【０００２】
ハサミの種類は多く、小は鼻毛用ハサミから大は剪定ハサミや金属板を切るハサミ等多岐に亘っている。
【０００３】
図１は公知のハサミを示す図である。取っ手１,２は指を入れてハサミを使用するものである。４は取っ手１の先に設けられた刃、５は取っ手２の先に設けられた刃である。これら刃４,５は取っ手１,２を操作することで,回転支点３を中心として回転し、紙や布を裁断することができる。６は取っ手１と２がぶつからないように取っ手１に設けた突起である。
【発明の概要】
【発明が解決しようとする課題】
【０００４】
ハサミで裁断する場合、庭木や厚手の紙や金属板を裁断する時にも、裁断が困難になることがある。
本発明はこのような課題に鑑みてなされたものであって、少ない力で切断することができる超強力ハサミを提供することを目的としている。
【課題を解決するための手段】
【０００５】
前記した課題を解決する本発明は、ハサミの刃と取っ手が回転可動にされる第１の回転支点と、該第１の回転支点を介して前記取っ手の他端に回転力が伝達さされる回転力伝達機構と、前記他端にそれぞれ設けられた第２の回転支点と、該第２の回転支点と繋がり、第２の回転支点を介して回転力を伝える第nの回転支点と、該第nの回転支点からの回転力伝達機構により動く刃とを有し、これら機能をn段設けて構成されることを特徴とする。
【発明の効果】
【０００６】
本発明は、ハサミの裁断時の段数をn段にすることで、紙又は植木や金属板等の裁断時に、裁断力を増すことで小さい力で裁断することができる。
【図面の簡単な説明】
【０００７】
【図１】公知のハサミを示す図
【図２】本発明の第１の実施例を示す図
【図３】本発明の原理を示す説明図
【図４】本発明の第２の実施例を示す図
【図５】本発明の第３の実施例を示す図
【図６】本発明の第４の実施例を示す図
【発明を実施するための形態】
【０００８】
以下、図面を参照して本発明の実施例を詳細に説明する。
図２は本発明の一実施例を示す図である。図１と同様のものは、同一の符号を付して示す。図２において、１、２は取っ手である。図１の公知例では、取っ手１,２の大きさを変えているが、特にその大小にはこだわらない。
【０００９】
３は取っ手１と２とが結合される第１の回転支点である。これら取っ手１,２の他端は取っ手１,２により回転力が伝達される回転力伝達機構となっている。具体的には、７が取っ手１側の回転力伝達機構、８が取っ手２側の回転力伝達機構である。
【００１０】
９は回転力伝達機構７の先端部に設けられた第２の回転支点、１０は回転力伝達機構８の先端部に設けられた第２の回転支点である。１１は第２の回転支点９と接続される第２の回転力伝達機構、１２は第２の回転支点１０と接続される第２の回転力伝達機構である。回転力伝達機構１１は取っ手２に対応し、回転力伝達機構１２は取っ手１に対応している。
【００１１】
１３は第２の伝達機構１１,１２と結合される第３の回転支点である。この回転支点１３は第１の回転支点３と対応している。１４,１５はハサミの刃である。刃１４は第３の回転支点１３を介して第２の回転力伝達機構１１と接続され、刃１５は同じく第３の回転支点１３を介して第２の回転力伝達機構１２と接続される。このように構成されたハサミの動作を説明すれば、以下の通りである。
【００１２】
図２に示すハサミは、図１に示す公知のハサミが２個接続されていると考えれば理解しやすい。取っ手１,２を開閉すると、その回転力は回転支点３を介して伝達機構７，８に伝わる。伝達機構７，８は開閉動作を行い、この開閉動作は回転支点９,１０を介して伝達機構１１,１２に伝わる。この結果、取っ手１,２が開閉動作を行うと、伝達機構１１,１２も開閉動作を行う。
【００１３】
この開閉動作は回転支点１３を介して刃１４,１５に伝わる。刃１４,１５は開閉動作を行い、布を裁断したり、木の枝を切断する。この時のハサミの裁断力は、図１に示す場合のＮ乗（Ｎは実数）になる。これはてこの原理により容易に推測することができる。即ち、物を動かす時に要する力を加える時に、支点と力を加える部分間の距離を長くすれば、必要な力はこの距離に比例して大きくなる。
【００１４】
図３は本発明のハサミの動作原理を示す図である。力を加える側の長さをL、加わる側の長さをlとすれば、レバーアクションはL /lである。これをn段とすれば増力構造は（L /l）nと強力になる。ハサミの段数nを増やせば力がn乗となり、それだけ裁断力を強くすることができる。
【００１５】
図４は本発明の第２の実施例でソレノイド１６により駆動するものである。一方の取っ手１の先端１aを図に示すように曲げて、ソレノイド１６によりこの先端部１aを吸引し、これによりハサミを駆動するようになっている。ソレノイド１６で取っ手の先端１aを吸引すると、取っ手１と２が閉じたことと等価になりハサミが閉じるので、先端部の刃１４,１５は目的のものを切断することができる。この実施例は、人手を要しないでものを切断することができて都合がよい。
【００１６】
図５は本発明の第３の実施例で、モータにより駆動するものである。図の１７がモータである。モータ１７に強力なトルクのものを用いれば、金属板等を裁断することができる。図６は本発明の第４の実施例で、各ピポット部にモータ１７&#12316;１９を配置して駆動するもので、超強力ハサミとなる。
【産業上の利用可能性】
【００１７】
本発明は紙ハサミ、園芸ハサミ、工業用ハサミ等の各種のハサミに適用することができる。
【符号の説明】
【００１８】
１    取っ手
２    取っ手
３    回転支点
４    刃
５    刃
６    突起
７    回転力伝達機構
８    回転力伝達機構
９    第２の回転支点
１０  第２の回転支点
１１  第２の回転力伝達機構
１２  第２の回転力伝達機構
１３  第３の回転支点
１４  刃
１５  刃
１６  ソレノイド
１７  モータ
１８  モータ
１９  モータ
【図１】
2018134476.tif 000003
【図２】
2018134476.tif 000004
【図３】
2018134476.tif 000005
【図４】
2018134476.tif 000006
【図５】
2018134476.tif 000007
【図６】
2018134476.tif 000008
(57)【要約】【課題】格安遺体保存方法をガラス化技術なし電力不要で提供する。【解決手段】市町村役場へ死亡届を提出し埋火葬許可証を交付された者か委託を受けた者が自己所有地所内においてエンバーミング後業務用超大型クーラーボックスに組織固定用ホルマリンを入れその中に遺体を入れ遺体の細胞を壊さず長期保存しその電力要らずクーラーボックスの密閉保存力とホルマリンの非腐蝕力の併用効果で遺体の長期保存を格安で提供する特徴を持つエンバーミング後業務用超大型クーラーボックス内ホルマリン漬け利用非細胞破壊格安遺体保存方法【選択図】なし【特許請求の範囲】
【請求項１】
市町村役場へ死亡届を提出し埋火葬許可証を交付された者か委託を受けた者が自己所有地所内においてエンバーミング後業務用超大型クーラーボックスに組織固定用ホルマリンを入れその中に遺体を入れ遺体の細胞を壊さず長期保存しその電力要らずクーラーボックスの密閉保存力とホルマリンの非腐蝕力の併用効果で遺体の長期保存を格安で提供する特徴を持つエンバーミング後業務用超大型クーラーボックス内ホルマリン漬け利用非細胞破壊格安遺体保存方法
【発明の詳細な説明】
【技術分野】
【０００１】
本発明は、格安遺体保存方法に関する。
【背景技術】
【０００２】
従来、遺体冷凍庫保存方法は高額すぎ外国でそれを行いガラス化技術しかなかったし電力が必要だった。
【０００３】
【特許文献１】特開2016-128058
【特許文献２】特開2015-007141
【非特許文献１】ウィキペディア  ホルマリン  検索で
【非特許文献２】ＳＳＩ社クーラーボックス320  検索で
【発明の開示】
【発明が解決しようとする課題】
【０００４】
従来、遺体冷凍庫保存方法は高額すぎ外国でそれを行いガラス化技術しかなかったし電力が必要だった。        
【課題を解決するための手段】
【０００５】
業務用クーラーボックスとホルマリンで遺体の細胞を壊さず長期保存する。 
【発明の効果】
【０００６】
格安で遺体の長期保存を保てる。
【発明を実施するための最良の形態】
【０００７】
以下、本発明の実施例について時系列的に文章で説明する。市町村役場へ死亡届を提出し埋火葬許可証を交付された者か委託を受けた者が自己所有地所内においてエンバーミング後業務用超大型クーラーボックスに組織固定用ホルマリンを入れその中に遺体を入れ遺体の細胞を壊さず長期保存しその電力要らずクーラーボックスの密閉保存力とホルマリンの非腐蝕力の併用効果で遺体の長期保存を格安で提供する特徴を持つエンバーミング後業務用超大型クーラーボックス内ホルマリン漬け利用非細胞破壊格安遺体保存方法
【実施例】
【０００８】
上記の形態や特許文献の改良の如く実施される。
【産業上の利用可能性】
【０００９】
高齢老人や団塊の世代の死亡が増え遺体冷凍庫の改良技術で移動可能なクーラーボックスとホルマリンで電力不要で集合住宅のベランダにも置けるコンパクトで大きく進歩を遂げ高齢化が進む中この格安方法の需要の産業上の利用可能性は高いと解される。
(57)【要約】【課題】  土踏まず部分が低くなることで姿勢が傾き、重心が移動し骨盤の位置も変わり、尿道を開いたり閉じたりする骨盤底筋の働きが正常にできない状態で生じる尿漏れを、土踏まずパットにより改善する。【解決手段】  高さの異なる数種類の厚みのある弾力性を有する素材、たとえば発泡合成樹脂などを用いて形成した土踏まずパットを靴下の中に入れ、若しくは靴にダボ付き土踏まずパットを嵌めこんだ靴中敷を入れて使用する。【選択図】図４
2018134364.tif 000002
【特許請求の範囲】
【請求項１】
土踏まずを改善するため、高さの異なる数種類の厚みのある弾力性を有する素材、たとえば発泡合成樹脂などを用いて形成した土踏まずパット。
【請求項２】
土踏まずパットにダボを付けて、靴にダボ穴付き靴中敷を入れ、靴中敷のダボ穴に嵌め込むことで移動拘束できる土踏まずパット。
【発明の詳細な説明】
【技術分野】
【０００１】  本発明は、尿漏れに対する改善方法としての土踏まずパットに関する。
【背景技術】
【０００２】  せき・くしゃみ・重い荷物を持ち上げるときなどにお腹に力を入れると、意思とは無関係に尿漏れを生じることがある。この現象は人間が年齢を重ねることで筋肉の衰え、特に骨盤底筋が緩むことで尿漏れを生じる場合が多いが、最近は年齢と関係なく、若い女性にも増えている。【０００３】  このことはファッションとして靴底の平らなペタンコ靴を履くことで、土踏まず部分が低くなり、いわゆる偏平足の傾向になることで姿勢が前又は後ろに傾き、重心が移動することで骨盤の位置が変わり、尿道を開いたり閉じたりする骨盤底筋の働きが正常にできない状態のため尿漏れを生じることが多い。
【先行技術文献】
【特許文献１】特開２０１５−２９６２号  公報
【特許文献２】実用新案登録第３１７９５５３号  公報
【０００４】
【発明の概要】
【発明が解決しようとする課題】
【０００５】  従来から偏平足による主な症状は、「歩行障害」「膝・股等の関節障害」など歩行に関する障害などが知られ、その矯正具として多くの発明・考案がされ、使用されているが、使用方法の煩わしさや装着した外観上の体裁の悪さなどがあった。【０００６】  本発明は、簡単にかつ外観的には何ら変わらない通常の手段で、尿漏れ対策として土踏まずを改善することを目的とするものである。
【課題を解決するための手段】
【０００７】  本発明は高さの異なる数種類の厚みのある弾力性を有する素材、たとえば発泡合成樹脂などを用いて形成した土踏まずパットを、靴下を履く際に土踏まず部分が当たるように入れる。【０００８】  靴下を履く際にその都度、土踏まずパットを入れるのが面倒なら、土踏まずパットにダボを付けて、靴の中にダボ穴付き靴中敷にはめ込め込みのみで日常の動作の一環として何ら意識せずに使用できる。
【発明の効果】
【０００９】  個人差のある土踏まず高さに応じ、又装着後の改善程度により順次高いものに交換することで、足の舟状骨が持ち上がり土踏まず部分が徐々に改善されで、骨盤の位置も正常に戻り、尿漏れが改善される。
【図面の簡単な説明】
【００１０】
【図１】土踏まずパットの平面図
【図２】同図１におけるＡ−Ａ線断面図
【図３】同図１の正面図
【図４】同図１の実施態様斜視図
【図５】ダボ付き土踏まずパットの平面図
【図６】同図５におけるＡ−Ａ線断面図
【図７】同図５の正面図
【図８】同図５の実施態様斜視図
【発明を実施するための形態】
【００１２】  本発明の実施形態を図１〜図８に基づいて説明する。
【００１３】  図においては、１は土踏まずパットで、通常は土踏まずの高さは個人差があり、状況に応じ、又装着後の改善程度により順次高いものに交換なように高さの異なる数種類（例えば１ａ又は１ｂ）を靴下４の中に入れて使用することで、足の舟状骨が持ち上がり土踏まず部分が徐々に改善される。
【００１４】  図においては、２はダボ付き土踏まずパットで、前述同様に高さの異なる数種類（例えば２ａ又は２ｂ）を靴中敷３の穴にはめ込に、靴に入れて使用することで土踏まず部分が徐々に改善される。
【符号の説明】
【００１２】    １    土踏まずパット
１ａ  土踏まずパット高さ中
１ｂ  土踏まずパット高さ低
２    ダボ付き土踏まずパット
２ａ  ダボ付き土踏まずパット高さ中
２ｂ  ダボ付き土踏まずパット高さ低
３    靴中敷
４    靴下
５    靴
６    人間の足
【図１】
2018134364.tif 000003
【図２】
2018134364.tif 000004
【図３】
2018134364.tif 000005
【図４】
2018134364.tif 000006
【図５】
2018134364.tif 000007
【図６】
2018134364.tif 000008
【図７】
2018134364.tif 000009
【図８】
2018134364.tif 000010
(57)【要約】【課題】  熱を加えずに、自然乾燥で固まる粘土で、光を蓄え、暗くなるとその蓄えた光を放出する材料。【解決手段】  マイクロビーズやパルプや土などの主材に、水、接着剤などを加え、混錬した物に畜光顔料を加え粘土とした。【選択図】なし【特許請求の範囲】
【請求項１】
太陽光や紫外線やブラックライトなどの光を蓄えて、暗くなると蓄えた光を放出する粘土。
【発明の詳細な説明】
【技術分野】
【０００１】  本発明は蓄光特性を持った粘土に関する。
【発明の概要】
【発明が解決しようとする課題】従来の蓄光製品は、プラスチックなどに蓄光顔料を入れ込んで熱などを加えて加工しなければならなかった。【０００２】  本発明は、そのような熱などを加えなくとも自然乾燥で自由に造形物が造れ、しかも蓄光特性である、太陽光や蛍光灯や紫外線などの光を蓄え、暗くなるとその蓄えた光を放出する粘土である。【０００３】  マイクロビーズやパルプや土などの主材に、水、接着剤などを加え混錬した物に蓄光顔料を加え粘土とした。
(57)【要約】【課題】男性が洋風便器で立って小便をする時に飛散して周囲を汚す恐れがなく、安心して用を足せるものを提供する。【解決手段】便器（３）と便座（１）の間に尿受けカバー（２）を設置し、昇降装置により尿受けカバー（２）が上昇して使用するので、使用時に尿が飛散しないので周囲を汚すことがないのを特徴とする。  昇降装置として水圧シリンダ（４）を使用し、使用した後の排水を尿受けカバー（２）の洗浄水として使用するのを特徴とする【選択図】図１
2018134367.tif 000002
【特許請求の範囲】
【請求項１】
便器と便座の間に放尿を受ける尿受けカバーを設置し、男性が立って放尿する時に飛散しないように尿受けカバーを上昇させるべく昇降装置を取り付けたものである。
【請求項２】
請求項１の昇降装置として水圧シリンダを取付けて使用するものである。
【請求項３】
請求項２のシリンダから排出される水を尿受けカバーの洗浄水として使用するものである。
【発明の詳細な説明】
【技術分野】
【０００１】  この発明は洋風便器と便座の間に昇降する尿受けカバーを設置させることにより、男性の放尿時に周囲に小便の飛散を防ぐ装置に関するものである。
【背景技術】
【０００２】  男性の小用が立って用を足すのではなく座って用を足すように家族から言われる家庭が多くなっている。立って用を足すと周囲を汚すことを思えば仕方がないと従う男性が多くなっているのである。
【先行技術文献】
【特許文献】
【０００３】
【特許文献１】特開２００９−２７０２７６号公報
【特許文献２】特開２００７−２１７９１４号公報
【特許文献３】特開２００５−３４２４６２号公報
【発明の概要】
【発明が解決しようとする課題】
【０００４】  解決しようとする問題点は、洋風便器において、男性が立って使用した場合、小便が便器外に飛散してしまう問題点を、利用者が不安感無く、安心して使用することができ、常に清潔な状態であることを実現することである。
特許文献１に記載の器具は、便器の外側に設置したカバーが利用後はカバーが便器の外側に収まるので、滴が床を濡らすのが欠点で、衛生上の問題点があった。
特許文献２に記載の器具は、漏斗で形成された尿ホルダーで放尿を受ける方法であり、本方法では、尿ホルダーを持つ煩わしさがあり、掃除の手間が増える問題点があった。
特許文献３に記載の器具は、便器と便座との間に蛇腹式の補助具を取り付けることで、便器外への尿の飛沫を防ぐ方法であり、蛇腹の交換が必要で費用が掛かるのが難点で清潔感を常に保ち難い問題点があった。
【発明が解決するための手段】
【０００５】  本発明は、便器（３）と便座（１）の間に放尿を受ける尿受けカバー（２）を設置し、男性が小便利用時には尿受けカバー（２）が昇降装置により上昇し、不安感無く使用できるのものである。
請求項２は、昇降装置として水圧シリンダ（４）で行い、水圧シリンダ（４）から排出される水を尿受けカバー（２）へ導き、洗浄水として使用するものである。
【発明の効果】
【０００６】尿受けカバー（２）が上昇することで、男性が安心して用を足すことができ、常に汚れるのは尿受けカバー（２）だけなので手入れも容易で衛生的に使用できるのが特徴である。利用後には水圧シリンダ（４）内の水は排水されるが、その水を尿受けカバー（２）へと導き、尿受けカバー（２）の洗浄に使用することで常に経済的で清潔な状態を保つことができる。
【図面の簡単な説明】
【０００７】
【図１】本発明の実施方法で、尿受けカバー（２）が上昇した状態で、要部の不可視部分については破線で表した側面図である。
【図２】本発明の実施方法で、尿受けカバー（２）が降下した状態で要部の不可視部分については破線で表した側面図である。
【図３】本発明の実施方法で、図１に対応した正面図である。
【図４】本発明の実施方法で、図２に対応した正面図である。
【図５】本発明の実施方法で、図４に示したＡ−Ｂ間の尿受けカバー（２）断面図である。
【発明を実施するための形態】
【０００８】  本発明の実施形態は便器（３）に水圧シリンダ（４）を取付けて、尿受けカバー（２）を水圧シリンダ（４）に収める。便座（１）は尿受けカバー（２）に取り付ける。水圧シリンダ（４）に給水管を接続し、給水バルブ（８）を開いて水を送ると尿受けカバー（２）が上昇して使用できる。尿受けカバー（２）と水圧シリンダ（４）はフレキシブルホース（６）で接続され、使用後に給水バルブ（８）を閉じ、排水バルブ（５）を開くと尿受けカバー（２）の洗浄水出口（１１）から排水がなされる。その後、降下は重力とスプリング（９）で行われる。
【符号の説明】
【０００９】１    便座
２    尿受けカバー
３    便器
４    水圧シリンダ
５    排水バルブ
６    フレキシブルホース
７    給水口
８    給水バルブ
９    スプリング
１０  通水路
１１  洗浄水出口
【図１】
2018134367.tif 000003
【図２】
2018134367.tif 000004
【図３】
2018134367.tif 000005
【図４】
2018134367.tif 000006
【図５】
2018134367.tif 000007
(57)【要約】      （修正有）【課題】配管の突合せ溶接の前処理として、配管継手端部の研磨作業を、サンダーでの危険を回避し誰でも簡単に安全でしかも衛生的に迅速に行うことができる研磨機を提供する。【解決手段】ローリングコレクトサンダーは、固定皿治具５に配管継手１を置き、手を添えて、ペタルスイッチ３０を入れれば、即研磨作業が始まる。作業を吸引フアン６の中心部で行うので、自動アームが作動すると、研磨石３が自転しながら即配管継手１を押さえ研磨し、また同時に集塵も行うという３つの作業動作を同時に実施することを特徴とする。【選択図】図１
2018134725.tif 000002
【特許請求の範囲】
【請求項１】
フアン中心部で作業する為、配管継手に手を添えてペタルスイッチを入れると、安全且つ衛生的に簡単にしかも短時間で、研磨作業が出来る事を特徴とするローリングコレクトサンダーである。
【請求項２】
ペタルスイッチを入れると、自動アーム３３が作動して、３個の研磨石が自転しながら配管継手を抑え外周を研磨し、回転しているフアンが自動的に集塵する事を特徴とする請求項１に記載ローリングコレクトサンダーである。
【発明の詳細な説明】
【技術分野】
【０００１】本発明は、配管の突合せ溶接の前処理として、配管継手端部の外周を研磨するための装置に関するものである。
【背景技術】
【０００２】配管の突合せ溶接する際不純物により気泡が出来、溶接部に欠陥が生じる為、除去しなければならない。装置が実用化されたものがあるらしい、しかし現場での使用は目にしていない。簡単に出来る方法としてサンダーを使用する事となる。これは、熟練者の腕や堪も必要となり、また配管継手の形状によっては、不安定な状態での作業などで危険も伴う。
【先行技術文献】
【特許文献】
【０００３】
【特許文献１】特開平９−１１７８４８
【発明の概要】
【発明が解決しようとする課題】
【０００４】文献１の研磨装置は、三方爪チャック機構で配管継手を固定するとある。大径配管の継手においては、しっかりと固定され安全性があると思われる。しかし装置に取付け研磨作業開始までに、まだ工程があり、継手の脱着やサイズの変更は手間取るのではないだろうか。本発明は、特に小径配管に有効である。サンダーでの不安定さや、危険を無くして、腕や堪に頼らずとも、誰でも簡単に研磨作業ができるローリングコレクトサンダーであり、これらの欠点を解決するためになされたものである。
【課題を解決するための手段】
【０００５】上記の課題を解決するために、固定皿治具５に、配管継手を置き、手を添えて、ペタルスイッチを入れれば、研磨作業が始まる。研磨石が自転しながら配管を押さえて、外周を研磨し、回転しているファンが、自動的に集塵する。極めて簡単で、安全であり、また粉塵の心配も無く衛生的である。以上の構成からなる、ローリングコレクトサンダーである。
【発明の効果】
【０００６】この発明は、フアンの中心部で研磨作業をすることで、ペタルスイッチを入れると、同時に中心シャフト１８が高速回転し、主軸回転盤１１が回り、自動アーム３３が作動して中心に向かって動き、３個の研磨石３が、自転しながら配管継手を押さえて、外周を研磨する。即ちペタルスイッチをいれると、３個の研磨石が自転しながら、配管継ぎ手を押さえ、研磨し、また集塵も即はじまるという、３つの作業動作を同時に実施することが出来るローリングコレクトサンダーである。
【図面の簡単な説明】
【０００７】
【図１】  本発明の実施例を示す断面図
【図２】  本発明の実施例を示す平面図
【図３】  固定装置の断面図
【図４】  固定装置の平面図
【図５】  研磨石の配置図とＲ変動図
【図６】  研磨機の斜視図参照【図７】  配管継手研磨箇所断面図
【発明を実施するための形態】
【０００８】以下添付図面に従って使用方法を説明すると図１は、使用中のローリングコレクトサンダーの側面図である。
１サイズに合わせた固定皿治具５を乗せセンターピン２を差し込む。
２配管継手１を置き、手そえてペタルスイッチ３０を入れる。
３自動的に研磨が始まり、集塵も行われている。頃合いを見てペタルスイッチをきる。
まだ不純物が残っている場合は、２・３の作業を行う。ローリングコレクトサンダーを使用すれば、サンダーで研磨のような技術や熟練度は要せず、簡単に安全にしかも短時間で誰でも研磨作業が出来る。
【符号の説明】
【０００９】ローリングコレクトサンダー
１  配管継手                            ３５〜３８配管Ｒ
２  センターピン                        ３９〜４１高さ
３  研磨石                              Ｓ  センター
４  ローラー式センターピン
５  固定皿治具
６  吸引フアン
７  ベルトプーリー
８  ローラー式プーリー
９  ウエイト
１０ローラー式プーリー
１１主軸回転ベース
１２安全カバー兼フアンケーシング
１３引き出し
１４駆動モーター
１５インペラー
１６吸引ダストホース
１７主軸パイプ
１８センターシャフト
１９駆動分配シャフト
２０ピロブロック
２１プーリー
２２丸ベルト
２３Ｖベルト
２４バッグフイルター
２５本体ケーシング
２６コントロールモーター
２７センター駆動クランク
２８集塵機モーター
２９電気ボックス
３０ペタルスイッチ
３１スライドスプリング
３２スプリング
３３自動アーム
３４スライド溝
【図１】
2018134725.tif 000003
【図２】
2018134725.tif 000004
2018134725.tif 000005
2018134725.tif 000006
【図７】
2018134725.tif 000007
【手続補正書】
【提出日】平成29年4月20日(2017.4.20)
【手続補正１】
【補正対象書類名】図面
【補正対象項目名】全図
【補正方法】変更
【補正の内容】
【図１】
2018134725.tif 000008
【図２】
2018134725.tif 000009
【図３】
2018134725.tif 000010
【図４】
2018134725.tif 000011
【図５】
2018134725.tif 000012
【図６】
2018134725.tif 000013
【図７】
2018134725.tif 000014
(57)【要約】      （修正有）【課題】透明なイヤホーンなどの音響機器に用いる金属で構成されたバランスドアーマチュア型レシーバの見栄えを良くする。【解決手段】バランスドアーマチュア型レシーバに着色を施す。着色を施すことにより、デザイン性が幅広くなり、個性を表したいという消費者のニーズやファッション性に応える。【選択図】図３
2018082414.tif 000002
【特許請求の範囲】
【請求項１】
据置用や携帯用の音響機器に接続するイヤホーンにおいて、内部の発音体であるバランスドアーマチュア型レシーバの筐体に着色を施したことを特徴とするバランスドアーマチュア型レシーバ。
【発明の詳細な説明】
【背景技術】
【０００１】  一般的にイヤホーンやカスタムインイヤーモニター、補聴器などの音響機器に用いる発音体である従来のバランスドアーマチュア型レシーバの色は自然色、つまり金属色のままであり、見た目の印象としては無骨で飾り気のない質素なものだった。
【発明の概要】
【発明が解決しようとする課題】
【０００２】  従来の中身が透けて見えるタイプのイヤホーン、または消費者自身の耳の形に合わせたオーダーメイドタイプのカスタムインイヤーモニターは、内部の発音体であるバランスドアーマチュア型レシーバが金属で構成された材質であったために見た目が質素で、スケルトンタイプの中身だと流行遅れでもあり、個性的ではなかった。
【課題を解決するための手段】
【０００３】  本発明は上記目的を達成するために、イヤホーン内部の発音体であるバランスドアーマチュア型レシーバに着色を施したものであり、バランスドアーマチュア型レシーバの発音ノズルである箇所に、一回り大きい管や内径に収まる棒などで着色顔料の侵入を防ぐための保護をする。またバランスドアーマチュア型レシーバは貫通孔（ＶＥＮＴ  ＨＯＬＥ）や音声信号を導通させるはんだパッドも有しているため、それぞれの箇所を  マスキングテープなどで保護をする必要がある。
バランスドアーマチュア型レシーバに保護と養生をし終えたら、金属もしくは非鉄金属用下塗り材で下塗りを行い、下塗り材が乾燥し定着した後に着色を行う。
【発明の効果】
【０００４】先に述べたように多種多様な色に着色することでバランスドアーマチュア型レシーバの見た目の無骨さを無くし、彩のバリエーションを増やし、デザイン性の幅を広げることで消費者や企業に提供を可能とする。
【図面の簡単な説明】
【図１】この発明の一実施形態を示す斜視図である
【図２】実施後の変化を示す斜視図である
【図３】発明の実施形態後を実際に搭載したイヤホーンの斜視図である
【発明を実施するための形態】
【０００５】  この発明は、部品「バランスドアーマチュア型レシーバ」に着色を施すことにより、ケーブルの色に応じて多種多様に色を変え統一感を作り出すことを可能とし、また色を種別に分けてデザイン性の向上、イヤホーンの左右の見極めに繋がるなど、エレガントとカジュアルとインフォーマルの３つのテイストを揃え、消費者に他に例を見ない彩と個性を提供することを課題とする。
以下、本発明の実施の形態を図１〜３に基づいて説明する。
１はバランスドアーマチュア型レシーバ本体、２はノズル部と内部を保護するための管またはチューブ。３は２の管またはチューブをノズル部に挿入する様子で、４ははんだパッドや貫通孔を保護するためのマスキングテープを貼りつけている。全体を保護した後に５の金属用または非鉄金属用プライマーで下地を塗り、６でスプレー缶や筆を用いり筐体へ着色を行う。７は着色実施形態後の１である。８は着色した７を実際にイヤホーン内部に搭載した様子である。
【符号の説明】
【０００６】１  バランスドアーマチュア型レシーバ本体
２  保護チューブ
３  ノズルや内部を保護するための管を差し込む様子
４  はんだパッド、貫通孔への顔料の侵入を防ぐためのマスキングテープを貼る様子
５  非鉄金属及び金属下塗り用プライマーでの下塗り
６  着色に用いるスプレー缶と塗り用の筆
７  着色実施形態後のバランスドアーマチュア型レシーバ
８  着色実旆形態後のバランスドアーマチュア型レシーバをイヤホーンに搭載した様子
【図１】
2018082414.tif 000003
【図２】
2018082414.tif 000004
【図３】
2018082414.tif 000005
(57)【要約】【課題】            塩と酸化防止剤を使用して、旨味が凝縮され、身質が締まり、程よい食感と美味しさを有する熟成鮭を提供する。【解決手段】        前処理を終了した鮭のフィレを塩と酸化防止剤の混合液中に浸漬して塩分の均等化と熟成を図る塩締め工程と、続いて水分の減少と再熟成を図る乾燥工程と、からなる熟成鮭の製造方法。【選択図】          なし【特許請求の範囲】
【請求項１】
前処理を終了した鮭のフィレを塩と酸化防止剤と混合液中に浸漬して塩分の均等化と熟成を図る塩締め工程と、続いて水分の減少と再熟成を図る乾燥工程と、からなることを特徴とする熟成鮭の製造方法。
【請求項２】
前記塩締め工程は塩水濃度７〜１０％、塩水温度４〜８℃、浸漬熟成時間１５〜１８時間であることを特徴とする請求項１に記載の熟成鮭の製造方法。
【請求項３】
前記乾燥工程は循環空気温度２０〜２５℃、乾燥時間６〜８時間、冷却工程１５〜１８時間、再乾燥工程２〜３時間であることを特徴とする請求項１に記載の熟成鮭の製造方法。
【発明の詳細な説明】
【技術分野】
【０００１】
本発明は、熟成鮭の製造方法に関する。
【背景技術】
【０００２】
従来、鮭の加工・製造には、主に塩が用いられ、解凍、水洗い等の前処理を行ったフィレの適所に塩を添加あるいは塩をまぶした新巻塩鮭、塩引き鮭、ふり塩漬け新巻鮭などが知られている。
【０００３】
さらに旨味を追求して梅塩を利用する製造方法（特許文献１）、塩と共に桜の葉を利用する製造方法（特許文献２）などが提案されている。さらにまた、化学調味料、添加香料などの外添物の作用によること無く、また塩味のみに頼らずに、鮭の肉質の旨味を引き出す鮭の加工方法として乾燥稲藁を使用する方法も提案されている（特許文献３）。
【先行技術文献】
【特許文献】
【０００４】
【特許文献１】特開２０１０−１７８６４１号公報
【特許文献２】特開２００８−１７３０７６号公報
【特許文献３】特開２００５−２７５０８号公報
【発明の概要】
【発明が解決しようとする課題】
【０００５】
前記従来のフィレの適所に塩を添加あるいは塩をまぶす加工・製造方法では塩分の均等化が困難であるため熟成が均等に行われず商品の旨味に欠ける場合があった。さらに商品によっては塩抜きが必要な場合があった。
【０００６】
また、塩に加えて化学調味料、添加香料、その他の外添物を使用する加工・製造方法は鮭本来の風味を損ねるおそれがあり、さらに加工・製造の際に塩の他に様々外添物を準備し利用するため工程増となると同時に製造コストに影響を与えるなどの問題があった。
【０００７】
本発明は、塩と酸化防止剤（Ｖ．Ｃ）を使用して、旨味が凝縮され、身質が締まり、程よい食感と美味しさを有し、長期冷凍保存できる熟成鮭の製造方法を提供することを目的とする。
【課題を解決するための手段】
【０００８】
前述した目的を達成するための本発明は、前処理を終了した鮭のフィレを塩と酸化防止剤の混合液中に浸漬して塩分の均等化と熟成を図る塩締め工程と、続いて水分の減少と再熟成を図る乾燥工程と、からなることを特徴とする（請求項１）。
【０００９】
本発明によれば、フィレを塩と酸化防止剤の混合液中に浸漬して塩締めを行うため、前記従来のフィレの適所に塩を添加あるいは塩をまぶす場合に比べてフィレ全体に塩分が均等に作用し熟成が行われて商品の旨味が向上させられる。さらに、酸化防止剤の添加により長期冷凍保存が可能である。なお、前記塩水と酸化防止剤の混合比は１００：１（重量比）である。
【００１０】
続く乾燥工程は水分の減少と再熟成を行い、蛋白質の分解酵素がより働き、旨味成分のアミノ酸が大幅に増え、水分の減少により旨味が凝縮され、身質が締まり、程よい食感と美味しさをもたらすものである。
【００１１】
本発明の実施の一形態の前記塩締め工程は、塩水濃度７〜１０％、塩水温度４〜８℃、浸漬熟成時間１５〜１８時間であることを特徴とする（請求項２）。これらの数値は発明者、出願人が実施した多くのデータから判明したものである。
【００１２】
本発明の実施の一形態の前記乾燥工程は、循環空気温度２０〜２５℃、乾燥時間６〜８時間、冷却工程１５〜１８時間、再乾燥工程２〜３時間であることを特徴とする（請求項３）。これらの数値は発明者、出願人が実施した多くのデータから判明したものである。
【発明の効果】
【００１３】
本発明の熟成鮭の製造方法によれば次のような効果が得られる。
（１）旨味が凝縮され身質が締まった商品を提供できる。
（２）塩と酸化防止剤のみの準備で足りる。
（３）複雑な製造装置を必要としない。
（４）コストダウンを図ることができ経済的である。
【００１４】
以上、本発明について簡潔に説明した。更に、本発明の詳細を説明する。
【発明を実施するための形態】
【００１５】
以下、本発明の実施の一形態による熟成鮭の製造方法を説明する。鮭としてロシア産天然紅鮭を使用した。
【００１６】
冷凍保存された前記の鮭を解凍、水洗い等の前処理を行った鮭のフィレを塩水濃度７％、温度５℃の制御された塩と酸化防止剤（アスコルビン酸Ｎａ）の混合液中に１５時間浸漬して塩締めを行った。
【００１７】
前記塩締めは水温管理のできる水槽で行われた。さらにフィレを通水性を有する支持板上に重なり合わないように並べて、該支持板を専用のラックに段状に支持して該ラックごと塩水槽に浸漬して行われた。さらに前記冷混合液を循環あるいは回流させて行われた。
【００１８】
前記塩締めの結果、フィレ全体に塩分が均一に作用していることが確認された。さらに１５時間という浸漬時間にゆっくり熟成が行われた。
【００１９】
つぎに塩締めを完了したフィレをラックごと引き上げて乾燥室へ移して２段階乾燥を行った。循環空気温度２０〜２５℃、乾燥時間６〜８時間、冷却工程１５〜１８時間の１段目の乾燥工程を行った後、２段目の乾燥工程を２〜３時間行った。
【００２０】
前記乾燥工程において、蛋白質の分解酵素が働き、旨味成分のアミノ酸が大幅に増加し、水分の減少により旨味が凝縮され、身質が締まり、程よい食感と美味しさを得ることができた。
【００２１】
前記工程で製造された商品は脱気式真空包装されて冷凍保管あるいはさらに市場に提供される。
【００２２】
前記本発明で加工・製造されたフィレは、家庭でグリルやオーブンレンジでじっくりと焼き上げて食される。焼き上がり後の身色は一般的な塩焼きと異なり深い紅色であった。
【産業上の利用可能性】
【００２３】
本発明によれば、旨味が凝縮され、身質の締まった熟成鮭を塩により、複雑な製造装置を必要とせずに提供することができ経済的であり、産業上貢献するところ大である。
(57)【要約】      （修正有）【課題】灌水時の植木鉢内用土の泥はねするのを防止し、かつ、雑草が生え難くし、鉢の美観を保持できる植木鉢泥はね防止具を提供する。【解決手段】植木鉢１の用土２の上に、用土２を覆ってプラスチック材の網状骨格体３を敷き詰めること、および該網状骨格体は植木鉢の用土覆う形状に２分割されたことを特徴とする。【選択図】図１
2018082685.tif 000002
【特許請求の範囲】
【請求項１】
植木鉢内の用土を覆ってプラスチック材の網状骨格体を敷き詰めることを特徴とする植木鉢用泥はね防止具。
【請求項２】
請求項１に記載の網状骨格体は植木鉢の用土覆う形状に２分割されたことを特徴とする植木鉢用泥はね防止具。
【発明の詳細な説明】
【発明の詳細な説明】
【技術分野】
【０００１】  本発明は、植木鉢に灌水する場合の用土泥はねを防止し、雑草の生育を阻害しようとする、泥はね防止具を提供するものである。
【背景技術】
【０００２】  植木鉢にじょうろや水道ホースで灌水する場合、植木鉢内の用土が泥はねするのが通常であった。
【先行技術文献】
【０００３】
【特許文献１】  特開２００６−９４７３４号公報
【発明の概要】
【発明が解決しようとする課題】
【０００４】    灌水時の植木鉢内用土の泥はねするのを防止し、かつ、雑草が生え難くし、鉢の美観を保持しようとする。
【課題を解決するための手段】
【０００５】  本発明は、用土の泥はねの防止方法として、用土の上にプラスチック材の網状骨格体円板を載せて、泥はねを防止しようとするものである。【０００６】  即ち、本発明は、植木鉢の上にプラスチック材の網状骨格体を敷き詰めて灌水時の泥はねを防止し、かつ、雑草の生育を抑え、鉢の外見上の美観を保とうとするものである。【０００７】  網状骨格体は水を容易に通すので灌水の妨げにならず、太陽光を遮断するので雑草の生育を妨げ、鉢の外観が良好になる作用効果がある。【０００８】  本発明の使用対象は、植木鉢に限らず、園芸プランターにも応用できる。
【実施例１】
【０００９】  図１に示す実施例について説明すると、植木鉢１の内部に用土２が入り、用土２の上であり植木４の周りに、網状骨格体３が敷き詰められている。【００１０】  その結果、灌水時に強い水勢で灌水しても、用土２の飛び跳ね、泥はねがなく、安心して灌水ができる。また網状骨格体３が太陽光を遮断するので、草生えがなくなり、鉢１の美観が保たれる。
【発明の効果】
【００１５】  本発明は、従来からの悩みであった灌水時の泥はねの心配がなく、雑草も生えなくなり、その結果、植木鉢美観も保たれるなどの効果を発揮する。
【図面の簡単な説明】
【００１６】
【図１】本発明にかかる植木鉢用泥はね防止具の使用実施例の断面図である。
【図２】本発明にかかる植木鉢泥はね防止具の実施例の斜視図である。
【符号の説明】
【００１７】  １  植木鉢
２  用土
３  網状骨格体
４  植木
【図１】
2018082685.tif 000003
【図２】
2018082685.tif 000004
(57)【要約】      （修正有）【課題】生食に於ける食中毒の発生なくす殺菌法の提供。【解決手段】食材を５５度の湯に長時間つけ、食材の中心温度を摂氏４２度以上６２度未満の温度で加熱後、冷却する殺菌法。蛋白質の熱変成温度とＯ−１５７等の細菌の減少可能温度との差を利用して、汚染された食材の生食を可能にする方法。【選択図】なし【特許請求の範囲】
【請求項１】
食材の中心温度を摂氏４２度以上６２度未満の温度で加熱する殺菌法
【発明の詳細な説明】
【技術分野】
【０００１】本発明は、生食に於ける食中毒予防に関する。
【背景技術】
【０００２】従来の加熱殺菌法は摂氏６２度以上の温度で加熱してしまう為に蛋白質が熱変性を起こし凝固してしまい、生食に於ける食中毒予防には使用出来ないものでした。
【発明の概要】
【発明が解決しようとする課題】
【０００３】蛋白質が熱変性を起こし凝固するのを防ぎ殺菌する事で生食に於ける食中毒の発生なくす事を目的とするものである。
【課題を解決するための手段】
【０００４】Ｄ値  細菌数が１００分の１になる値
蛋白質が熱変性を起こし凝固するのは摂氏５８度であり、病原性大腸菌Ｏ−１５７のＤ値は５５度３０分、この温度差を利用して、Ｏ−１５７を殺菌し、Ｏ−１５７に汚染された食材の生食を可能とする。
【発明の効果】
【０００５】レバ刺し、鳥刺し、生牡蠣を食中毒の心配なく、食せる。
【発明を実施するための形態】
【０００６】牛レバーをパックに入れ、摂氏５５度の湯に５時間つけ、湯から取り出し、芽胞菌類の増殖を防ぐ為、急速に１５度以下まで冷却する。
(57)【要約】【課題】ココナッツオイルは健康志向の人達に人気があり高価なのですが冷蔵庫に入れると硬く固まってしまい使いにくかった。【解決手段】ココナッツオイルとピーナッツオイルを１対１の割合で混ぜます。【選択図】なし【特許請求の範囲】
【請求項１】
ココナッツオイルとピーナッツオイルを１対１の割合で混ぜ冷蔵庫の中でも完全に硬化しないでスプーンですくえる程度の硬さになった混合ココナッツオイル。
【発明の詳細な説明】
【技術分野】
【０００１】本発明は、ココナッツオイルとピーナッツオイルを１対１の割合で混ぜ冷蔵庫の中でもスプーンですくえる程度の硬さになった混合ココナッツオイルに関する。
【背景技術】
【０００２】ココナッツオイルは健康志向の人達の間で人気になっているのですが摂氏２５度から硬化が始まり２０度になれば少し固くなります。
冷蔵庫に入れるとかなり固くなりスプーンですくうのは困難になります。
【発明の概要】
【発明が解決しようとする課題】
【０００４】ココナッツオイルは２５度から硬化が始まりますので日本の夏なら室内に置いておけば液体なので使いやすいのですが、秋になり室温が２０度になると少し固くなり使いにくかった。
高価な物でもあり健康志向の人達が使うのには冷蔵庫に入れず室内に放置するのに抵抗がある人達が多くいる事が考えられます。
冷蔵庫に入れたココナッツオイルは硬く固まっているのですが電子レンジで温めるとすぐ解けます。
何回も温め直しても品質に問題はないとの事ですが少ししか使わないのにいちいち温め直して使うのは脂の劣化も考えてしまい抵抗があります。
【課題を解決するための手段】
【０００５】ココナッツオイルとピーナッツオイルを１対１の割合で混ぜます。
ピーナッツオイルはココナッツオイルと似たような性質があり味は軽やかです。
１９９３年から１９９９年までフジテレビで放送されていた「料理の鉄人」に出演していた陳健一氏（中華料理）がＮＨＫ教育テレビの「きょうの料理」に出演していました。
その「きょうの料理」でピーナッツオイルを紹介していました。
ピーナッツオイルは中国の宮廷料理に使われていて軽やかで上品な味わいです。
そのピーナッツオイルは１５度から硬化が始まりますが冷蔵庫に入れても完全に硬化せずとろりとした液状になります。
ピーナッツオイルとココナッツオイルを１対１の割合で混ぜると冷蔵庫に入れても完全に硬化せずにスプーンですくう事ができます。【０００６】この混合ココナッツオイルで炒飯（チャーハン）を作るとココナッツオイルの風味とピーナッツオイルの軽やかさで風味のある軽やかな焼飯ができます。
【発明の効果】
【０００７】単独のココナッツオイルは冷蔵庫に入れると完全に硬化しますが混合ココナッツオイルでは完全には硬化しません。
高価で健康志向の人達に人気があるので冷蔵庫に入れたいのです。
冷蔵庫に入れてもすぐにスプーンですくえて使い安い。
ピーナッツオイルの効果で風味が増します。
【発明を実施するための形態】
【０００８】ココナッツオイルとピーナッツオイルを１対１の割合で混ぜたものである。
(57)【要約】      （修正有）【課題】病気を数秒で治癒できる病気治癒型機を提供する。【解決手段】パポ〜プルを出した人が、自分で病気を数秒で治癒させる、又はプルプストにて、他人の病気を数秒で治癒させる。パポ〜プルは病気も治せる。何でも数秒で叶える。出す、消すができる。基本虚数回路に病気治癒力を専門に付けたものである。【選択図】なし【特許請求の範囲】
【発明の詳細な説明】
2018082603.tif 000002
【手続補正書】
【提出日】平成29年7月6日(2017.7.6)
【手続補正３】
【補正対象書類名】特許請求の範囲
【補正対象項目名】全文
【補正方法】変更
【補正の内容】
【特許請求の範囲】
【請求項１】
ポトル、カシス、ワイプ、ポップ、ガッツの基本虚数回路から全関数化したポトル〜ガッツで、言って抽出する全関数化したポトル〜ガッツで、パポ〜プルを言って抽出する
【請求項２】
乾電池を、装着して、又は電源入れて、パポ〜プルを使用。
(57)【要約】【課題】  本発明は、マグカップ、コップ、缶、ペットボトルなどに着脱自由に保温、保冷をしながら、テーブルに付く結露の水分、熱による輪染みを防ぎ、結露による手の滑り、熱さを防止し、持ち手の付いたマグカップにも対応できる飲料用コースターを提供する。【解決手段】  形状の異なるコップなどを伸縮性、柔軟性のある布で形成されているかぶせるコースターで内側の側面、底面に吸収、撥水加工されている布をひきつめ結露によるテーブルに漏れる水分、熱によるテーブルへの輪染みを防ぎ、保温、保冷にも適し、手持ちが付いているカップ、コップにも対応でき、持ち運びできることを特徴とするかぶせるコースター。【選択図】図１
2018079269.tif 000002
【特許請求の範囲】
【請求項１】
形状の異なるコップなどを伸縮性、柔軟性のある布で形成されているかぶせるコースターで内側の側面、底面に吸収、撥水加工されている布をひきつめ結露によるテーブルに漏れる水分、熱によるテーブルへの輪染みを防ぎ、保温、保冷にも適し、手持ちが付いているカップ、コップにも対応でき、持ち運びできることを特徴とするかぶせるコースター。
【発明の詳細な説明】
【技術分野】
【０００１】  本発明は、マグカップ、コップ、缶、ペットボトルなどに着脱自由に保温、保冷をしながら、テーブルに付く結露の水分、熱による輪染みを防ぎ、結露による手の滑り、熱さを防止し、持ち手の付いたマグカップにも対応できる飲料用コースターに関するものである。
【背景技術】
【０００２】  従来、グラス、コップ、缶飲料を立体コースターへ差し込み装着して手に結露した水分が付くことなく、結露した水分は、立体コースター内部の底面部の底にたまり、水分が流れるのを防ぐことができなかった。
また、缶飲料が熱くなっている場合でも、立体コースターをもってやけどせず飲むことができ、飲み終わった立体コースターの水分を蒸発させて洗浄乾燥させ再利用するものがあった（特許文献１参照）。
また、形状の異なる飲料容器の保温、保冷に使用する飲料器用保温、保冷カバーで伸縮性を有する材料を使用してスライド式ファスナーを取り付けてあり、飲料容器の大きさによってファスナーの上げ下げにより対応するものがあった（特許文献２参照）。
【先行技術文献】
【特許文献】
【０００３】
【特許文献１】  特開２０１４−５４５０３号公報
【特許文献２】  実用新案登録第３２０１９１３号公報
【発明の概要】
【発明が解決しようとする課題】
【０００４】（イ）結露した水分をコースター内部の底面部の底にためておくのは不衛生であった。
（ロ）ファスナーの上げ下げにより飲料容器の大きさに対応するので、セッティング時に誤ってこぼしてしまったり、高齢者、子供にはやりにくかった。
（ハ）手持ちがあるマグカップ、コップ等には使用できなかった。
本発明は、これらの問題点を解決するためになされたものである。
【課題を解決するための手段】
【０００５】  形状の異なるコップなどを伸縮性、柔軟性のある布で形成されているかぶせるコースターで内側の側面、底面に吸収、撥水加工されている布をひきつめ結露によるテーブルに漏れる水分、熱によるテーブルへの輪染みを防ぎ、保温、保冷にも適し、手持ちが付いているカップ、コップにも対応でき、持ち運びできる。
以上のように構成されたかぶせるコースター。
【発明の効果】
【０００６】（イ）かぶせるコースター内側の側面、底面に吸収性、撥水加工されている布をひきつめている。
（ロ）形状の異なるコップ等を伸縮性、柔軟性のある布で形成されているので簡単にコースターをかぶせることができる。
（ハ）伸縮性にある布のコースター側面に１ヵ所切り込みがあるので手持ち部分を入れることができる。
【図面の簡単な説明】
【０００７】
【図１】  本発明の斜視図である。
【図２】  本発明の缶飲料を入れた斜視図である。
【図３】  本発明の手持ちコップを入れた斜視図である。
【図４】  本発明のコースターを上から見た説明図である。
【発明を実施するための形態】
【０００８】  以下、本発明の実施の形態について説明する。
カバーにポリクロロプレン、ポリエステルの材質を使用し、かぶせてコースターカバー（１）の内部の側面、底面には、吸水、撥水加工に適している布をひきつめ結露した水分を吸収（２）する。
図２に示すように、かぶせてコースターに缶飲料（３）を装着する。
装着したことにより伸縮性、柔軟性のある布により固定でき、冷蔵庫で冷やされた缶飲料（３）を保冷し、缶飲料（３）のように熱いマグカップ（４）を保温し、かぶせてコースターを持って飲むこともでき、手持ち付きのマグカップなどにも対応ができ、熱さから付くテーブルへの輪染みを防ぐ。
図１に示すように、かぶせてコースターに切り込み（５）があるため、図３に示すように着脱がスムーズにできる。
本発明は以上のような構成である。
本発明を使用するときは、グラス、コップ、缶、ペットボトル（３）、マグカップ（４）をかぶせてコースター（１）へ差し込み装置。
結露から出た水分は、かぶせてコースターの内側（２）に吸収され、テーブルや手に結露がつかない。
また、熱い缶、カップなどもかぶせてコースターを装置することでテーブルに付く輪染みややけどを防ぐことができ、切り込み（５）があることで手持ち付きのカップなどにも利用できる。
使用後は、洗濯可能なのでとても衛生的に使用できる。
【符号の説明】
【０００９】    １  かぶせてコースター
２  水分を吸収する側面、底部
３  缶飲料
４  マグカップ
５  切り込み
【図１】
2018079269.tif 000003
【図２】
2018079269.tif 000004
【図３】
2018079269.tif 000005
【図４】
2018079269.tif 000006
(57)【要約】【課題】  食材などがはさみやすく、また機能的で、耐久性に優れた菜ばしを目的とする。【解決手段】菜ばしの先端部分を、平たく幅を少し持たせる事により、はさみやすく解決しようとするものである。また、小さい食材も掴めるように反対側の上部先端部分には従来の菜ばしを設け、一体型にする事で機能的なものにするものである。  また、平たく幅を少し持たせた先端部分は、ゴムべらとしても使えるようにする事で、機能的にするものである。また、素材はシリコンゴム製など耐熱性に優れたものにする。【選択図】図１
2018079266.tif 000002
【特許請求の範囲】
【請求項１】
調理や食事の際に使われている菜箸の、先端部分を平たく少し幅のある形のはさみやすい菜ばし。また、反対側の先端部分には従来の菜箸と組み合わせ、一体型の万能菜箸とする。
【請求項２】
先端部分を平たく少し幅のある形のはさみやすい菜ばしは、ゴムべらとしても利用でき菜箸としても、ゴムべらとしても使用できる万能菜箸。一体型の万能菜箸で、３通りの使い方が出来る。
【発明の詳細な説明】
【技術分野】
【０００１】この発明は、はさみやすい菜ばしとして、また従来の菜ばしとしても、ゴムべらとしても使え、一体型になっている万能菜ばしに関するものである。
【背景技術】
【０００２】従来の菜ばしは、先が細いものであった。その為、大きい材料ややわらかい食品は形が崩れるなどの使いづらい点があった。
【先行技術文献】
【特許文献】
【０００３】
【特許文献１】特開２０００−１３５１７２
【特許文献２】特開２００５−５８７０８
【発明の概要】
【発明が解決しようとする課題】
【０００４】従来の菜ばしは、大きめの材料ややわらかい食品をはさむのには、形が崩れるなどの使いづらい点があった。
【課題を解決するための手段】
【０００５】従来の先が細い形状を、平たく少し幅のある形にする。
本発明は、以上の構成よりなる、はさみやすい万能菜ばしである。
【発明の効果】
【０００６】  本発明のつかみやすい万能菜ばしは、平たく少し幅のある形にする事で、揚げ物や焼き物などの調理の際、大きいものややわらかい材料が、はさみやすくなり便利である。
また、反対側は従来の菜ばしとして、小さい材料をつかむ際にも使える。一体型にする事で、より機能的な菜ばしになり便利である。
また、はさみやすい万能菜ばしは、ゴムべらとしても使用でき、特に長い容器や瓶に入ったものなどをきれいに取り出す際に便利であり、３通りの使い方が出来る。
素材は、シリコンゴム製などの耐熱性の優れるものを使用する事で、より機能的で使いやすいものになり便利である。
【図面の簡単な説明】
【０００７】
【図１】  本発明の菜箸の斜視図
【図２】  本発明の菜箸の平面図
【図１】
2018079266.tif 000003
【図２】
2018079266.tif 000004